(57)【特許請求の範囲】
【請求項１】
複数のディジタルオーディオファイルと各ディジタルオーディオファイルがどのような特性で記録されているかを示す記録特性とを組み合わせて記憶した記憶手段と、
前記複数のディジタルオーディオファイルを連続して読出出力する読出制御手段と、
を備え、
前記読出制御手段は、次に読み出すディジタルオーディオファイルの記録特性が現在読み出しているディジタルオーディオファイルの記録特性から変化するとき、前記次に読み出すディジタルオーディオファイルを読出出力するまえに、その記録特性が、チャンネルステータス情報として書き込まれた無音のディジタルオーディオ信号を出力し、その所定時間後にこのディジタルオーディオファイルを読出出力するディジタルオーディオ信号再生装置。
【請求項２】
次に読み出すディジタルオーディオファイルの記録特性が現在読み出しているディジタルオーディオファイルの記録特性と同じときには、前記次に読み出すディジタルオーディオファイルの記録特性の出力を行わない請求項１に記載のディジタルオーディオ信号再生装置。
【請求項３】
ディジタルオーディオファイルおよびこのディジタルオーディオファイルがどのような特性で記録されているかを示す記録特性を記憶した記憶手段と、
前記ディジタルオーディオファイルを読出出力する読出制御手段と、
を備え、
前記読出制御手段は、前記ディジタルオーディオファイルの記録特性が所定のディジタルオーディオファイルの記録特性と異なるとき、このディジタルオーディオファイルの記録特性が、チャンネルステータス情報として書き込まれた無音のディジタルオーディオ信号を出力し、その所定時間後にこのディジタルオーディオファイルを読出出力するディジタルオーディオ信号再生装置。
【請求項４】
前記記録特性は、エンファシスの有無およびサンプリングレート情報を含む請求項１乃至請求項３のいずれかに記載のディジタルオーディオ信号再生装置。
【発明の詳細な説明】
【０００１】
【発明の属する技術分野】
この発明は、複数のトラックのオーディオ信号を連続して再生するディジタルオーディオ信号再生装置に関する。
【０００２】
【発明が解決しようとする課題】
オーディオ信号をディジタルのまま入力し、この信号をＤＳＰで処理したのちＤＡ変換して増幅出力するディジタルオーディオアンプが実用化されている。このようなディジタルオーディオアンプは、再生装置との接続がディジタルであるため、ノイズなど信号の劣化のおそれがないうえ、アンプ内部での信号処理をＤＳＰなどのディジタル回路で行う場合に、ＡＤ変換やＤＡ変換を繰り返す必要がないためこれによる信号の劣化もないという利点を有している。
【０００３】
ところで、ディジタルオーディオ信号が記録されたトラックは、それぞれそのソースに合わせた特性でディジタル記録されており、全てが同じ特性で記録されているとは限らない。この特性とは、たとえば、エンファシスのオン／オフやサンプリングレートなどである。
【０００４】
従来のアナログアンプであれば、ディジタル信号からアナログ信号に変換されたものが入力されるため、アンプ側は、上記のようなディジタル記録の特性を全く考慮する必要がなかった。しかし、ディジタルオーディオアンプは、種々の特性で記録されたディジタルオーディオ信号がそのまま入力されるため、この記録特性に応じた設定で入力信号を処理する必要があり、入力されるディジタルオーディオ信号の記録特性が変わった場合、すなわち新しく再生されたトラックがそれまで再生されていたトラックと異なる記録特性であった場合には、ＤＳＰなどの処理回路の設定を変更しなければならず、この設定変更に２００〜５００ミリ秒程度の時間が必要であった。
【０００５】
このため、一般的なディジタルオーディオアンプでは、入力されるディジタルオーディオ信号の記録特性が変化した場合には、処理回路の設定を変更するために必要な時間（２００〜５００ミリ秒間）は出力をミュートして切り換え時のノイズがスピーカから出力されないようにしている。
【０００６】
しかし、ディジタルオーディオ信号の供給源であるディジタルオーディオ信号再生装置は、ディジタルオーディオアンプとファイバまたは同軸などのディジタルオーディオ線を接続しているのみであるため、ディジタルオーディオアンプ側の状態を知ることができず、出力をミュートしている間もディジタルオーディオ信号を再生してディジタルオーディオアンプに出力し続けていた。
【０００７】
このため、異なる設定のトラックを再生した場合トラックの先頭部分の信号がミュートによって欠けてしまう場合があった。
【０００８】
なお、一般的に１枚のオーディオＣＤのなかに、異なる記録特性のトラックが混在することは稀であるが、複数のソースから取り出した複数のトラックを１つにまとめたような場合には、このようなことがしばしば起こりうるものである。
【０００９】
この発明は、エンファシスなどの記録特性が変化した場合でもアンプ側で頭切れにならないように再生出力するディジタルオーディオ信号再生装置を提供することを目的とする。
【００１０】
【課題を解決するための手段】
請求項１の発明は、複数のディジタルオーディオファイルおよび各ディジタルオーディオファイルがどのような特性で記録されているかを示す記録特性を記憶した記憶手段と、前記複数のディジタルオーディオファイルを連続して読出出力する読出制御手段と、を備え、
前記読出制御手段は、次に読み出すディジタルオーディオファイルの記録特性が現在読み出しているディジタルオーディオファイルの記録特性から変化するとき、前記次に読み出すディジタルオーディオファイルを読出出力するまえに、その記録特性が、チャンネルステータス情報として書き込まれた無音のディジタルオーディオ信号を出力し、その所定時間後にこのディジタルオーディオファイルを読出出力することを特徴とする。
請求項２の発明は、請求項１の発明において、次に読み出すディジタルオーディオファイルの記録特性が現在読み出しているディジタルオーディオファイルの記録特性と同じときには、前記次に読み出すディジタルオーディオファイルの記録特性の出力を行わないことを特徴とする。
【００１１】
請求項３の発明は、ディジタルオーディオファイルおよびこのディジタルオーディオファイルがどのような特性で記録されているかを示す記録特性を記憶した記憶手段と、前記ディジタルオーディオファイルを読出出力する読出制御手段と、を備え、
前記読出制御手段は、前記ディジタルオーディオファイルの記録特性が所定のディジタルオーディオファイルの記録特性と異なるとき、このディジタルオーディオファイルの記録特性が、チャンネルステータス情報として書き込まれた無音のディジタルオーディオ信号を出力し、その所定時間後にこのディジタルオーディオファイルを読出出力することを特徴とする。
【００１２】
この発明は、上記発明において、前記記録特性が、エンファシスの有無およびサンプリングレート情報を含むことを特徴とする。
【００１３】
ディジタルオーディオ信号を入力し、これを信号処理するディジタルオーディオアンプ等は、このディジタルオーディオ信号のエンファシス・サンプリングレートなどの記録特性を知り処理回路部の設定をこれに合わせたものにする必要がある。処理回路部の設定が以前に設定したのと同じであればそのままの設定でよいが、以前に設定したのと異なっている場合、たとえば、連続して複数のディジタルオーディオファイルを再生する場合で、先のファイルと後のファイルでその記録特性が異なる場合や最も一般的な設定であるデフォルト設定と異なるファイルを再生する場合には、処理回路部の設定を変更する必要があり、このために２００〜５００ミリ秒程度の時間を要する。このため、このような場合には、ディジタルオーディオファイルの記録特性が、チャンネルステータス情報として書き込まれた無音のディジタルオーディオ信号を出力し、そののちにファイルを出力する。これによって、記録特性を入力したディジタルオーディオアンプ等は、この記録特性に応じて設定を変更し、変更が完了したころにファイルが入力されてくるため、頭切れなしに種々の記録特性のディジタルオーディオファイルを再生することができる。
なお、この発明におけるディジタルオーディオファイルは、ＣＤ−ＤＡ規格、ＤＡＴ規格、ＤＶＤ規格などのトラック、ＷＡＶファイルなどのファイルなどを含む概念である。
【００１４】
【発明の実施の形態】
図面を参照してこの発明の実施形態であるディジタルオーディオ信号記録再生装置について説明する。この実施形態の説明において、特に断らない限りオーディオ信号はディジタルオーディオ信号の意である。このディジタルオーディオ信号記録再生装置は、ＣＤドライブ４およびハードディスク５を備えており、処理可能なオーディオ信号は、ＣＤ−ＤＡ規格の信号だけでなく、ＤＡＴ規格、ＤＶＤ規格の信号も処理可能である。また、この実施形態では、トラック、曲、オーディオファイルを、ひとまとまりのオーディオ信号を表すほぼ同義語として用いる。
【００１５】
このディジタルオーディオ信号記録再生装置は、ＣＤドライブ４、ハードディスクドライブ（ハードディスク）５、ディジタルオーディオインタフェース２２、アナログオーディオインタフェース２３を備え、ＣＤドライブ４が再生したオーディオ信号、ディジタルオーディオインタフェース２２またはアナログオーディオインタフェース２３から入力されたオーディオ信号をハードディスク５に記録することができるとともに、ハードディスク５から読み出されたオーディオ信号、ディジタルオーディオインタフェース２２またはアナログオーディオインタフェース２３から入力されたオーディオ信号を直接ＣＤドライブ４にセットされているＣＤ−Ｒ（またはＣＤ−ＲＷ）に記録することができる。
また、再生時にはＣＤドライブ４がオーディオＣＤから読み出したトラックまたはハードディスク５から読み出されたオーディオファイルをディジタルオーディオインタフェース２２からストリームデータとして出力することができるとともに、内部でＤＡ変換してアナログオーディオインタフェース２３からアナログのオーディオ信号として出力することもできる。
【００１６】
ＣＤドライブ４にセットされるオーディオＣＤ（ＣＤ−ＤＡ規格のオーディオ信号が記録されたＣＤ）やハードディスク５には複数のトラックまたはオーディオファイルが記録されており、これらを連続して再生することができる。
ディジタルオーディオインタフェース２２は、ＣＤプレーヤ、ＤＡＴレコーダまたはＤＶＤプレーヤなどが出力するＩＥＣ６０９５８に準拠したディジタルオーディオ信号を入出力可能であり、入力された信号をコントローラ２がファイル形式に変換してハードディスク５に記録する。この記録されたファイルを読み出し再生するときには、コントローラ２がＩＥＣ６０９５８に準拠したディジタルオーディオ信号に変換してディジタルオーディオインタフェース２２から直接、またはアナログオーディオインタフェース２３でアナログ信号に変換して出力する。
【００１７】
ＩＥＣ６０９５８に準拠したディジタルオーディオ信号には管理情報が付属しており、この管理情報にこのディジタルオーディオ信号がどのような機器から出力されたものであるかおよびどのような特性で記録されたかを示す特性情報が書き込まれている。この装置は、入力されたディジタルオーディオ信号を記録するときには、この記録特性もあわせて記録する。このディジタルオーディオ信号を音響として出力する場合には、この記録特性に合わせた信号処理をしなければ望ましい音質で出力することができない。この信号処理のための信号処理部は、この装置のアナログオーディオインタフェース２３に含まれているほか、ディジタルオーディオインタフェース２２に接続されるディジタルアンプにも設けられている。なお、記録特性とは、たとえば、エンファシス設定やサンプリングレートなどである。この記録特性は、例えば、オーディオＣＤの場合には、サブコード情報として記録されており、これをディジタルオーディオ信号としてＣＤプレーヤ等が出力するときには、サブコード情報として出力するほか、チャンネルステータス情報にもその状態が反映される。
【００１８】
複数トラックを連続して再生するとき、いままで再生していたトラックとこれから再生する新たなトラックとで記録特性が異なる場合、信号処理部の設定をこの記録特性に合わせて切り換える必要があり、この切り換えに２００〜５００ミリ秒程度の時間を要する。そこで、この装置は、上記記録特性が異なる新たなトラックを再生するとき、このトラックのオーディオ信号を出力するまえにチャンネルステータス情報にこの記録特性を書き込んだダミーのオーディオ信号を生成して所定時間出力し、これに続けて上記新たなトラックのオーディオ信号を出力するようにしている。この所定時間は、上記信号処理部の設定変更に要する時間程度にしておけばよく一般的には５００ミリ秒〜１秒程度である。これにより、このオーディオ信号を信号処理およびＤＡ変換して出力する回路側では、ダミーのオーディオ信号が入力されている間に設定変更を済ませ、本来のトラックのオーディオ信号が入力されたときにはその新たな設定で信号処理・ＤＡ変換してアナログのオーディオ信号を出力できるようになっている。
【００１９】
図１は同ディジタルオーディオ信号記録再生装置のブロック図である。オーディオ信号の入出力を制御するコントローラ２は、ＡＴＡＰＩインタフェース２０、サブコード検出部２１、ディジタルオーディオインタフェース２２、アナログオーディオインタフェース２３を有している。コントローラ２のＡＴＡＰＩインタフェース２０にはＡＴＡＰＩバス１１を介してＣＤドライブ４、ハードディスクドライブ５が接続されている。また、ＡＴＡＰＩインタフェース２０には、メモリバス１２を介してＦＩＦＯメモリ３が接続され、ＣＰＵバス１０を介してＣＰＵ１が接続されている。ＣＰＵバス１０には、ＣＰＵ１、コントローラ２のほか、ＲＯＭ６、ＲＡＭ７が接続され、ＣＰＵ１にはユーザインタフェース８が接続されている。
【００２０】
コントローラ２は例えば専用ＬＳＩで構成される。コントローラ２は、ＣＤドライブ４にセットされたオーディオＣＤの読み出し、ＣＤドライブ４にセットされたＣＤＲディスクへの書き込み、ハードディスク５の書き込み・読み出し、および、オーディオ信号の外部入出力を制御する。
【００２１】
コントローラ２のディジタルオーディオインタフェース２２は、光ファイバおよび同軸ケーブルの入力端子と光ファイバおよび同軸ケーブルの出力端子を有している。この出力端子からディジタルオーディオアンプにディジタルオーディオ信号が出力される。この出力されるディジタルオーディオ信号は、ＩＥＣ６０９５８に準拠した信号である。また、アナログオーディオインタフェース２３は、入力用のＡＤコンバータ２５、出力用のＤＡコンバータ２４およびイコライジングなどの信号処理を行うＤＳＰ２６を有している。
【００２２】
サブコード検出部２１は、入力されたトラックのデータやＣＤドライブ４から読み出したデータからサブコード情報を分離してデコードし、トラック番号、エンファシス情報、サンプリングレートなどを読み取る。サブコード検出部２１はサブコード情報を一時記憶するバッファを蓄えており、デコードした情報をＣＰＵ１に転送する。また、ディジタルオーディオインタフェース２２では、入力されたディジタルオーディオ信号のチャンネルステータスから機器の情報、エンファシス情報、サンプリングレートなどを読み取る。この情報はＣＰＵ１により読み出される。また、ハードディスク５にはＣＤ−ＤＡ規格、ＤＡＴ規格、ＤＶＤ規格などのメディアの規格とは異なる独自形式でオーディオファイルが記憶され、サブコード情報に対応する管理情報はこのオーディオファイルとは別に記憶されている。
【００２３】
ハードディスク５のオーディオファイルを再生するとき、コントローラ２は、ハードディスク５から読み出されたオーディオデータおよび管理情報を合成してＩＥＣ６０９５８に準拠したストリームデータに変換する。また、コントローラ２は、複数のオーディオファイルを連続して再生するとき、いままで再生していたオーディオファイルとこれから再生する新たなオーディオファイルとでエンファシスなどの記録特性が異なる場合、新たなオーディオファイルのオーディオ信号を出力するまえにダミーのオーディオ信号を生成して所定時間出力し、これに続けて新たなオーディオファイルのオーディオ信号を出力する（図３のｔｒａｃｋ２，ｔｒａｃｋ３参照）。ダミーのオーディオ信号は、新たなオーディオファイルのオーディオ信号と同じ記録特性が書き込まれたチャンネルステータス情報を持つ無音のオーディオ信号であり、５００ミリ秒〜１秒程度の長さである。この動作は、ＣＤドライブ４からオーディオＣＤのトラックを連続して読み出す場合にも、また、オーディオＣＤのトラックおよびハードディスク５のオーディオファイルを組み合わせて連続して読み出す場合にも、記録特性が変化した場合には同様に行う。
【００２４】
また、１トラックのみ再生する場合や連続して再生する場合の先頭のトラックであっても、ディジタルオーディオアンプなど出力先の信号処理部のデフォルト設定と異なる記録特性である場合には、このトラックのオーディオ信号の前にダミーのオーディオ信号を生成して出力する（図３のｔｒａｃｋ１参照）。オーディオ信号を処理する信号処理部のデフォルト設定は、たとえば、エンファシス「無し」、サンプリングレート「４４．１ｋＨｚ」などである。
【００２５】
ユーザインタフェース８は、図２に示す操作パネル面に設けられた操作子群および表示部を有している。操作子としては、通常のＣＤプレーヤと同じようなプレイボタンや停止ボタンなどのスイッチ群、ディスクやトラックを選択するためのマルチジョグダイヤルなどが設けられている。また、表示部は、選択されたまたは再生中のトラック番号などを表示する。
前記ＣＤドライブ４は、いわゆるＣＤ−ＲＷドライブであり、オーディオＣＤをセットしてオーディオデータを読み取ることができるとともに、ライトワンスのＣＤＲディスクやリライタブルのＣＤＲＷディスクへオーディオデータを書き込むことができるものである。以下、ＣＤＲディスクおよびＣＤＲＷディスクを総称してＣＤＲディスクという。またハードディスク５は、２０ＧＢ程度の記憶容量を有し、３０枚〜４０枚のオーディオＣＤのデータを蓄積記憶することができる。ただし、ハードディスク５の記憶容量については特に制限を設けるものではない。
【００２６】
なお、ＡＴＡＰＩインタフェース２０に接続されるドライブはＣＤドライブ４とハードディスクドライブ５に限定されるものではなく、ＤＶＤ−ＲＯＭ、ＤＶＤ−Ｒ、ＤＶＤ−ＲＡＭ、ＰＤなどどのようなドライブを接続してもよい。また、簡略な操作でユーザが差し替えることができるようにしてもよい。
【００２７】
ここで、図４を参照してオーディオＣＤの記憶フォーマットであるＣＤ−ＤＡ（コンパクト・ディスク・ディジタル・オーディオ）規格について説明する。ＣＤ−ＤＡ規格では、オーディオ信号を、サンプリング周波数４４．１ｋＨｚ、２チャンネル、１６ビット量子化でディジタルデータ化し、このサンプリングデータを６サンプリング毎にＣＩＲＣによるパリティを付加してフレーム化している。すなわち、ＣＩＲＣによるパリティが追加された３２シンボルを１フレームとしており、これが６サンプリング相当となる。したがって、１フレームの繰り返し周期は、サンプリング周波数４４．１ｋＨｚ÷６＝７．３５ｋＨｚとなる。また、フレームには、同期信号（２４ビット）、サブコード情報（１バイト）などが付加される。これにより、１フレームは５８８ビットで構成される。このフレームデータをＣＩＲＣエンコードし、ＥＦＭ変調したものがオーディオＣＤに書き込まれているオーディオデータである。
【００２８】
上記のサブコード情報は、オーディオＣＤによる音楽再生を効率的に行うための付加情報であり、曲の番号、インデックス、時間などの情報であり、さらには文字、グラフィックなどが定められている場合がある。１フレーム（７．３５ｋＨｚ）ごとに１バイトのデータを入れることができるが、上記のように多種類の情報を入れるために、９８フレームを単位とするサブコードフレームを形成し、９８バイトで１かたまりのサブコード情報となるようにしている。この９８フレームを１セクタと呼んでいる。したがって、７．３５ｋＨｚ／９８＝７５Ｈｚがセクタ（サブコードフレーム）の繰り返し周期となる。１フレームにサブコード情報として付加される１バイトの各ビットは、Ｐチャンネル，Ｑチャンネル，Ｒチャンネル，Ｓチャンネル，Ｔチャンネル，Ｕチャンネル，Ｖチャンネル，Ｗチャンネルと呼ばれ、各チャンネル毎に異なる内容の情報が書き込まれる。このうち、Ｑチャンネルに全トラック数（全曲数）、トラック番号（曲番号）、時間情報やエンファシス情報などが書き込まれる。
他の規格のフォーマットもオーディオ信号をセクタ（フレーム）に分割し、セクタ毎にサブコード情報を埋め込んでいる点では上記ＣＤ−ＤＡ規格のフォーマットと共通している。
【００２９】
図５のフローチャートを参照して同ディジタルオーディオ信号記録再生装置の再生動作について説明する。曲の再生予約が存在するときこの処理が実行される。オーディオＣＤを再生するときは、全トラックが順次再生予約されて最後まで再生される。現在曲を再生中の場合には（ｓ１）、この再生中の曲の終了所定時間前になるまでｓ２で待機する。所定時間前になったときｓ３に進む。また、曲が再生中でないときには直接ｓ３に進む。
【００３０】
ｓ３では、再生予約されている曲の記録特性情報であるチャンネルステータスデータを確認する。このチャンネルステータスデータの内容が、現在再生中の曲のものと異なっている場合、または、現在曲を演奏中でないときにデフォルト設定のステータスと異なっている場合には設定変更が必要であるため、ｓ４の判断でｓ５に進む。設定変更の必要がない場合にはｓ４からｓ１０に進み、現在再生中の曲が終了したのち即座に予約された曲の再生を実行する（図３のｔｒａｃｋ３→ｔｒａｃｋ４参照）。
【００３１】
設定変更をする場合には、ｓ５で現在再生中の曲が終了するまで待機し、終了したとき新たな曲の読み出しをポーズ（または停止）し（ｓ６）、チャンネルステータスを変更するための５００ミリ秒〜１秒間のダミーデータを生成して（ｓ７）、出力する（ｓ８）。こののち、新たな曲の再生を再開（ポーズ解除または再生スタート）する（ｓ９）。
【００３２】
なお、ｓ３においてチャンネルステータスデータを確認する場合に、同時にＦＩＦＯ３にオーディオ信号を読み込んでおいてもよく、またチャンネルステータスデータのみ確認するようにしてもよい。また、ｓ６ではＣＤドライブ４またはハードディスク５からのオーディオ信号の読み出しは継続して行ってバッファし、その出力のみ停止するようにしてもよい。
【００３３】
また、図５の処理はディジタルオーディオインタフェース２２から出力する場合およびアナログオーディオインタフェース２３でアナログ信号に変換する場合の両方に適用することができる。
【００３４】
また、この実施形態では、記録特性の例として、ＣＤ−ＤＡ規格、ＤＡＴ規格、ＤＶＤ規格などの記録フォーマット、エンファシスのオン／オフ、サンプリングレートを例にあげて説明したが、信号処理の設定を変更する必要がある特性が変更される場合には、全てこの発明を適用することができる。
【００３５】
【発明の効果】
以上のようにこの発明によれば、記録特性が異なる複数のディジタルオーディオファイルを連続して再生する場合やデフォルト設定と異なるファイルを再生する場合でも、頭切れなくこれを再生することができる。
【図面の簡単な説明】
【図１】この発明の実施形態であるディジタルオーディオ信号記録再生装置のブロック図
【図２】同ディジタルオーディオ信号記録再生装置の外観図
【図３】複数トラックの再生手順の例を示す図
【図４】ディジタルオーディオ信号のフォーマットの例を示す図
【図５】前記ディジタルオーディオ信号記録再生装置の動作を示すフローチャート
【符号の説明】
１…ＣＰＵ、２…コントローラ、３…ＦＩＦＯメモリ、４…ＣＤドライブ、５…ハードディスク、６…ＲＯＭ、７…ＲＡＭ、８…ユーザインタフェース、１０…ＣＰＵバス、１１…ＡＴＡＰＩバス、１２…メモリバス、２０…ＡＴＡＰＩインタフェース、２１…サブコード検出部、２２…ディジタルオーディオインタフェース、２３…アナログオーディオインタフェース、２４…ＤＡコンバータ、２５…ＡＤコンバータ、２６…ＤＳＰ
【図１】
0003925306.tif 000002
【図２】
0003925306.tif 000003
【図３】
0003925306.tif 000004
【図４】
0003925306.tif 000005
【図５】
0003925306.tif 000006